(57)【要約】      （修正有）【課題】着脱自在な装飾布部によって衣服を２通りの態様に容易に変化させることができ、高い自由度と優れた利便性を有する乳幼児用衣服を提供する。【解決手段】乳幼児用衣服１は、前身頃１１０、および前身頃１１０に縫着される後身頃１２０が一体に構成されたワンピース型のドレス部１０と、ドレス部１０の内側に一部を着脱自在に挿着した状態で、ドレス部１０の裾から延び出て裾丈を延長する装飾布部１４とを備える。【選択図】図１
0003212942.tif 000002
【実用新案登録請求の範囲】
【請求項１】
前身頃、および該前身頃に縫着される後身頃が一体に構成されたワンピース型のドレス部と、
前記ドレス部の内側に一部を着脱自在に挿着した状態で、同ドレス部の裾から延び出て裾丈を延長する装飾布部とを備える
乳幼児用衣服。
【請求項２】
前記ドレス部と前記装飾布部との間には、
前記ドレス部の内面に設けられる第一の着脱具と、
前記装飾布部の外面に、前記第一の着脱具と着脱可能に設けられる第二の着脱具とを有する着脱構造部を備える
請求項１に記載の乳幼児用衣服。
【請求項３】
前記後身頃は、
左半身と、
該左半身の右側に配置される右半身と、
前記左半身と右半身との間で着丈方向に設けられ、前記左半身と右半身の少なくとも一方を背開き可能とする接続部とを有する
請求項１または請求項２に記載の乳幼児用衣服。
【請求項４】
前記第一の着脱具は、
凹面が内側を向いて装飾布部側に露出する凹ボタンを有し、
前記第二の着脱具は、
凸面が外側を向いてドレス部側に露出する凸ボタンを有する
請求項２または請求項３に記載の乳幼児用衣服。
【考案の詳細な説明】
【技術分野】
【０００１】
本考案は、乳幼児用衣服に関する。更に詳しくは、着脱自在な装飾布部によって衣服を２通りの態様に容易に変化させることができ、高い自由度と優れた利便性を有する乳幼児用衣服に係わるものである。
【背景技術】
【０００２】
従来から、お祝い用等に装飾が施された乳児用衣服（乳児には新生児も含む。以下同じ）が製造販売されており、このような衣服の一例として、出産後約１月程度後に行われるお宮参り等に使用されるドレスとして、下記非特許文献１に記載されたものが提案され公知となっている。
【０００３】
非特許文献１に記載された乳児用ドレスは、ロンパース状のインナーウェアと、刺繍等の装飾が施され、インナーウェアの上から被せて着用するドレス状のアウターウェアからなり、フォーマルな外観を有するものである。この乳児用ドレスは、乳児に着用させる場合、先にインナーウェアを着せ、その後にアウターウェアを着せることで着用するものである。
【先行技術文献】
【非特許文献】
【０００４】
【非特許文献１】株式会社赤ちゃんの城  商品のご紹介  花ごよみフォーマルドレス  インターネット＜http://www.baby.co.jp/products_detail.php?id=7204＞
【考案の概要】
【考案が解決しようとする課題】
【０００５】
ところで、乳児は日々成長して幼児となり、生後１年の幼児は新生児と比較して、身長は約１．６倍、体重は約３倍（いずれも平均値による比較）に成長する。このため、乳児用ドレスが新生児の体格に合わせて作られたものである場合、例えば、生後１年のお祝いの席では着用できなくなっている可能性がある。
【０００６】
また、特に女児用の乳児用ドレスは、裾丈が長い優雅なデザインのものが多いが、このような裾丈が長いドレスは、生後１年の幼児の身長であってもなお引き摺る程の長さである場合もあり、着用の際に、着用者である幼児が歩行の際に自分の服の裾を踏んで転倒したり、裾の引き摺りによって裾を汚損したりするおそれがある。
【０００７】
本考案は、以上の点を鑑みて創案されたものであり、着脱自在な装飾布部によって衣服を２通りの態様に容易に変化させることができ、高い自由度と優れた利便性を有する乳幼児用衣服を提供することを目的とするものである。
【課題を解決するための手段】
【０００８】
上記の目的を達成するために、本考案の乳幼児用衣服は、前身頃、および前身頃に縫着される後身頃が一体に構成されたワンピース型のドレス部と、ドレス部の内側に一部を着脱自在に挿着した状態で、ドレス部の裾から延び出て裾丈を延長する装飾布部とを備える。
【０００９】
ここで、ドレス部は、前身頃と後身頃が縫着されて一体に構成されることによって、ワンピース型に形成することができる。これにより、形成されたワンピース型のドレス部は、自分で歩行するようになった幼児が着用する一の態様の衣服として好適に使用することができる。
【００１０】
更に、装飾布部が、ドレス部の内側に一部を着脱自在に挿着した状態で、ドレス部の裾から延び出て裾丈を延長することによって、ドレス部と装飾布部を組み合わせた、乳児が着用する他の態様の衣服として使用することができる。
【００１１】
このように、本考案によれば、前述の構成を備えることにより、簡単な着脱作業で、ドレス部と装飾布部を組み合わせた態様、装飾布部を外したドレス部のみの態様、の２種類の態様で使用可能な乳幼児用衣服を提供することができる。これにより、例えば、産後の乳児期のお宮参り等では、ドレス部と装飾布部を組み合わせた華やかな態様の乳幼児用衣服を乳児に着用させることができる。一方、幼児期に入り歩行を始めた際には、ドレス部のみの態様の乳幼児用衣服を幼児に着用させることで、幼児は、装飾布部を踏んだり引き摺ったりすることなく活動できる。
【００１２】
また、ドレス部と装飾布部との間に、ドレス部の内面に設けられる第一の着脱具と、装飾布部の外面に、第一の着脱具と着脱可能に設けられる第二の着脱具とを有する着脱構造部を備える場合は、着脱構造部がドレス部に覆われるため外部に露出しないので、見た目の良い乳幼児用衣服を得ることができる。
【００１３】
更に、着脱構造部が外部に露出しないので、衣服の外面側において何かが着脱構造部の近傍に引っ掛かることによってドレス部から装飾布部が外れるようなアクシデントを防止することができる。
【００１４】
また、後身頃が、左半身と、左半身の右側に配置される右半身と、左半身と右半身との間で着丈方向に設けられ、左半身と右半身の少なくとも一方を背開き可能とする接続部を有する場合は、後身頃を左右のいずれか一方または左右両方向へ背開きできるため、前述の構成によって装飾布部を着脱する際に、ドレス部を開いて着脱構造部に簡単にアクセスすることができ、着用者の利便性が良く、特に新生児への着用が行いやすい。
【００１５】
また、第一の着脱具が、凹面が内側を向いて装飾布部側に露出する凹ボタンを有し、第二の着脱具が、凸面が外側を向いてドレス部側に露出する凸ボタンを有する場合は、前述の構成によって、装飾布部を外した状態で乳幼児用衣服のドレス部のみを着用した際に、着脱構造部の第一の着脱具の凹ボタンが着用者の身体側に向くことになるが、この着用時に衣服の外側から凹ボタン部分に圧力が加わったとしても、凸ボタンのような突出部分が無いため、着用者が痛みを感じることがない。また、着脱構造部が、このような凹ボタンと凸ボタンからなる所謂スナップボタンであるため、紐等のように肉眼で確認しなくても留め外しが容易であると共に、面ファスナのようにループやフックでデリケートな乳幼児の肌を刺激することがない。
【考案の効果】
【００１６】
本考案に係る乳幼児用衣服は、着脱自在な装飾布部によって衣服を２通りの態様に容易に変化させることができ、高い自由度と優れた利便性を有するものとなっている。
【図面の簡単な説明】
【００１７】
【図１】本考案に係る乳幼児用衣服の正面図である。
【図２】同じく乳幼児用衣服の背面図である。
【図３】ドレス部を左右方向に開いた状態を示す展開図である。
【図４】装飾布部を左右方向に開いた状態を示す展開図である。
【図５】装飾布部を筒状に丸めた状態の背面図である。
【図６】乳幼児用衣服の着用の際に乳児が着るインナーウェアの正面図である。
【図７】（ａ）はドレス部に装飾布部を取り付けた状態の着脱構造部を示す側面断面図であり、（ｂ）は装飾布部を外した状態のドレス部側の着脱構造部を示す側面断面図である。
【図８】ドレス部と装飾布部を組み合わせた乳幼児用衣服を乳児が着用した状態を示す使用状態説明図である。
【図９】装飾布部を外したドレス部のみからなる乳幼児用衣服を幼児が着用した状態を示す使用状態説明図である。
【考案を実施するための形態】
【００１８】
図１ないし図９を参照して、本考案の実施の形態を更に詳細に説明する。なお、各図における符号は、煩雑さを軽減し理解を容易にする範囲内で付している。また、説明の便宜上、図１ないし図４において着丈方向を符号Ｌで示している。
【００１９】
図１に示すように、乳幼児用衣服１は、ワンピース型のドレス部１０と、ドレス部１０の内側に一部が着脱自在に挿着された装飾布部１４と、装飾布部１４とドレス部１０の間に設けられた着脱構造部１５とを備える。なお、乳幼児用衣服１の着用の際には、着用者は図６に示すようなインナーウェア２（図１および図２には足下端部分のみ想像線で記載している）を着用していても良い。各部について、以下詳述する。
【００２０】
（ドレス部１０）
ドレス部１０は、ポリエステル製の不透明生地で形成され、前身頃１１０、および、前身頃１１０に縫着された後身頃１２０を有する。なお、前身頃１１０および後身頃１２０は、着丈方向中間よりも上側に形成されたハイウエストライン１９０より下側がスカート部分１２３となる（図１および図２を参照）。ハイウエストライン１９０とスカート部分１２３の間にはギャザー（符号省略）が形成されている。
【００２１】
ドレス部１０は、前身頃１１０と後身頃１２０が一体に構成されることによって、ワンピース型に形成することができ、このワンピース型のドレス部は、自分で歩行するようになった幼児が着用する一の態様の衣服として好適に使用することができる。
【００２２】
本実施の形態においては、後身頃１２０は、左半身１２１と、左半身１２１の右側に配置された右半身１２２と、左半身１２１と右半身１２２との間で着丈方向に設けられ、左半身１２１と右半身１２２の少なくとも一方を背開き可能とする接続部１３とを有する（図２および図３を参照）。
【００２３】
前述の構成によって、後身頃１２０を左右のいずれか一方または左右両方向へ背開きすることができ、また、装飾布部１４の着脱の際には、ドレス部１０を開いて着脱構造部１５に簡単にアクセスすることができ、着用者の利便性が良く、特に新生児へ着用させやすい。
【００２４】
なお、本実施の形態においては、後身頃１２０は前述の態様であるが、これに限定するものではなく、例えば、図１に示す前身頃と同様に左右に分かれていない態様、あるいは、着丈方向の上部から中間部あたりの位置まで分かれており、中間部から下部にかけては左右が分かれていない態様等であってもよい。
【００２５】
本実施の形態においては、接続部１３は、左半身１２１の着丈方向に沿った縁部分に所定間隔で設けられた複数のボタン（符号省略）と、右半身１２２の同ボタンに対応する位置に設けられたボタンホール（符号省略）の組み合わせにより構成されている（図２および図３を参照）。なお、本実施の形態においては、接続部１３は前述の構成であるが、これに限定するものではなく、例えば、結び紐、各種ボタン、線ファスナや面ファスナ等であってもよい。
【００２６】
（装飾布部１４）
装飾布部１４は、ドレス部１０の内側に一部を着脱自在に挿着した状態で、ドレス部１０の裾から延び出てドレス部１０の裾丈を延長する部材である。本実施の形態では、装飾布部１４は、平織で薄手、軽く透けているオーガンジー生地により形成された横長の布であり、幅方向の長さが身幅方向におけるドレス部１０の内周と略同じであり、着丈方向の長さがドレス部１０のスカート部分の着丈方向の長さの略２倍に設定されている。この装飾布部１４は、ドレス部１０に取着された際に、筒状に丸まり、スカート状になる（図１、図２、図４、図５参照）。
【００２７】
前述の構成によって、装飾布部１４は、ドレス部１０の裾丈の長さを略２倍に延長することができ、これにより、ドレス部１０と装飾布部１４を組み合わせた、乳児が着用する他の態様の衣服として使用することができる。
【００２８】
本実施の形態においては、装飾布部１４の構成は前述の通りであるが、これに限定するものではなく、例えば、前見頃のみに取り付ける前裾状の態様、後身頃のみに取り付ける引き裾状の態様等であってもよい。
【００２９】
（着脱構造部１５）
着脱構造部１５は、ドレス部１０と装飾布部１４との間に設けられ、装飾布部１４の一部をドレス部１０の内側に着脱自在に挿着するための部材である（図１、図３、図４、図５、図７参照）。
【００３０】
そして、着脱構造部１５は、ドレス部の内面１２４に設けられる第一の着脱具１５０と、ドレス部１０の内側に装飾布部１４の一部を挿着した状態で、詳しくは重複部分１９１（図１参照）において、装飾布部１４の外面１４１に、第一の着脱具１５０と着脱可能に設けられる第二の着脱具１５４とを有する（図１、図３、図４、図７参照）。
【００３１】
前述の構成によって、着脱構造部１５は、装飾布部１４の一部をドレス部１０に着脱自在に挿着することができる。これにより、簡単な着脱作業により、乳幼児用衣服１を、ドレス部１０と装飾布部１４を組み合わせた態様（図８参照）、装飾布部１４を外したドレス部１０のみの態様（図９参照）、の２種類の態様で使用できるようにすることができる。
【００３２】
また、前述の構成によって、ドレス部１０と装飾布部１４の取着部分が外部に現れない、すなわち、着脱構造部１５がドレス部に覆われるため外部に露出しないので、見た目の良い乳幼児用衣服１が得ることができる。更に、着脱構造部１５が外部に露出しないので、衣服の外面側において何かが着脱構造部１５の近傍に引っ掛かることによってドレス部１０から装飾布部１４が外れるようなアクシデントを防止することができる。
【００３３】
また、本実施の形態において、第一の着脱具１５０は、凹面１５２が内側を向いて装飾布部１４側に露出する凹ボタン１５１であり、第二の着脱具１５４は、凸面１５６が外側を向いてドレス部１０側に露出する凸ボタン１５５である（図７参照）。
【００３４】
第一の着脱具１５０は、ハイウエストライン１９０の長さと略同じ長さの帯状の凹ボタン取付基布１５３に、所定間隔で複数の凹ボタン１５１が取り付けられたものである。そして、第一の着脱具１５０は、ドレス部の内面１２４のハイウエストライン１９０に沿って取り付けられている（図３参照）。なお、凹ボタン取付基布１５３は、ドレス部１０の裏地（符号省略）に縫着されているので、表地に縫い目が現れないようにしてある。
【００３５】
第二の着脱具１５４は、装飾布部１４の上縁部（即ち、ドレス部１０側であり、裾部分になる側と反対側の縁部）と略同じ長さの縁布状の凸ボタン取付基布１５７に、所定間隔で複数の凸ボタン１５５が取り付けられたものである。そして、第二の着脱具１５４は、装飾布部１４の上縁部に沿って取り付けられている（図４、図５、図７参照）。
【００３６】
前述の構成によって、装飾布部１４を外した状態で乳幼児用衣服１のドレス部１０のみを着用者である幼児Ｃ２が着た際に、凹ボタン１５５が着用者の身体側に向くことになるが、この着用時に衣服の外側から凹ボタン１５５部分に圧力が加わったとしても、凸ボタン１５６のような突出部分が無いため、着用者が痛みを感じることがない（図７（ｂ）参照）。また、本実施の形態における着脱構造部１５は、凹ボタンと凸ボタンからなる所謂スナップボタンであるため、紐等のように肉眼で確認しなくても留め外しが容易であると共に、面ファスナのようにループやフックでデリケートな乳幼児の肌を刺激することがない。
【００３７】
なお、本実施の形態においては、第一の着脱具１５０および第二の着脱具１５４の構造および取り付け位置は前述の通りであるが、これに限定するものではなく、例えば、結び紐、面ファスナ等を使用した構造、スカート部分等への取り付け位置を除外するものではないが、着脱のしやすさ、着用者への低刺激性、スカート部分に設けられるギャザーや刺繍等の形状への影響を鑑みると、前述した本実施の形態における構造および取り付け位置が好適である。
【００３８】
以上のような構成により、本考案の乳幼児用衣服１は、装飾布部１４の着脱により２通りの態様の衣服に変化させることができ、着用者の利便性を向上させたものとなっている。より詳しくは、本考案の乳幼児用衣服１は、前述の構成を備えることにより、ドレス部１０と装飾布部１４を組み合わせた一の態様、装飾布部１４を外したドレス部１０のみの他の態様、の２種類の態様で使用可能である。
【００３９】
これにより、例えば、図８に示すような産後の乳児期のお宮参り等では、ドレス部１０と装飾布部１４を組み合わせた華やかな態様の乳幼児用衣服１を乳児Ｃ１に着用させることができる。一方、幼児期に入り歩行を始めた際には、ドレス部１０のみの態様の乳幼児用衣服１を幼児Ｃ２に着用させることで、幼児Ｃ２は、装飾布部１４を踏んだり引き摺ったりすることなく活動できる。
【００４０】
以上のように、本考案を適用した乳幼児用衣服は、着脱自在な装飾布部によって衣服を２通りの態様に容易に変化させることができ、高い自由度と優れた利便性を有するものとなっている。
【００４１】
なお、本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【符号の説明】
【００４２】
１        乳幼児用衣服
１０      ドレス部
１１０    前身頃
１２０    後身頃
１２１    左半身
１２２    右半身
１２４    ドレス部の内面
１３      接続部
１４      装飾布部
１４１    装飾布部の外面
１５      着脱構造部
１５０    第一の着脱具
１５１    凹ボタン
１５２    凹面
１５４    第二の着脱具
１５５    凸ボタン
１５６    凸面
Ｌ        着丈方向
【図１】
0003212942.tif 000003
【図２】
0003212942.tif 000004
【図３】
0003212942.tif 000005
【図４】
0003212942.tif 000006
【図５】
0003212942.tif 000007
【図６】
0003212942.tif 000008
【図７】
0003212942.tif 000009
【図８】
0003212942.tif 000010
【図９】
0003212942.tif 000011
【手続補正書】
【提出日】平成29年8月8日(2017.8.8)
【手続補正１】
【補正対象書類名】実用新案登録請求の範囲
【補正対象項目名】全文
【補正方法】変更
【補正の内容】
【実用新案登録請求の範囲】
【請求項１】
前身頃、および該前身頃に縫着される後身頃が一体に構成されたワンピース型のドレス部と、
前記ドレス部の内側に一部を着脱自在に挿着した状態で、同ドレス部の裾から延び出て裾丈を延長する装飾布部とを備える
乳幼児用衣服。
【請求項２】
前記ドレス部と前記装飾布部との間には、
前記ドレス部の内面に設けられる第一の着脱具と、
前記装飾布部の外面に、前記第一の着脱具と着脱可能に設けられる第二の着脱具とを有する着脱構造部を備える
請求項１に記載の乳幼児用衣服。
【請求項３】
前記後身頃は、
左半身と、
該左半身の右側に配置される右半身と、
前記左半身と右半身との間で着丈方向に設けられ、前記左半身と右半身の少なくとも一方を背開き可能とする接続部とを有する
請求項１または請求項２に記載の乳幼児用衣服。
【請求項４】
前記第一の着脱具は、
凹面が内側を向いて装飾布部側に露出する凹ボタンを有し、
前記第二の着脱具は、
凸面が外側を向いてドレス部側に露出する凸ボタンを有する
請求項２に記載の乳幼児用衣服。